(57)【要約】【課題】映像表示機器において、外部再生装置と接続される際に、ユーザが映像表示装置のリモコンのみを操作する場合であっても、自装置と外部再生装置の両方の操作を容易に行うことを可能にし、ユーザによる操作の手間を低減する。【解決手段】ＢＤローダを備えるＴＶ受像機は、ＨＤＭＩケーブルを介して、ＢＤプレーヤと接続され、リモコンから再生コマンドを受信すると（Ｓ１）、ＢＤローダを選局中であるか判断し（Ｓ２）、選局中である場合（Ｓ３でＹＥＳ）、再生コマンドの送信先をＴＶ受像機のＢＤローダと判定して、このＢＤローダに再生コマンドを送信する（Ｓ４）。一方、選局中でない場合（Ｓ３でＮＯ）、ＴＶ受像機は、ＢＤプレーヤから＜Ａｃｔｉｖｅ  Ｓｏｕｒｃｅ＞を既に受信しているとき（Ｓ６でＹＥＳ）、再生コマンドの送信先をＢＤプレーヤと判定し、再生コマンドに対応するＣＥＣコマンドをＢＤプレーヤに送信する（Ｓ１１）。【選択図】図４
2012124866.tif 000002
【特許請求の範囲】
【請求項１】
コンテンツを再生し、再生したコンテンツの映像を出力する外部再生機器と接続され、
前記外部再生機器との間で、前記コンテンツデータの受信と、制御プロトコルに基づく制御コマンドの送受信とを行うための送受信手段と、
ユーザによる操作に応じた命令コマンドを送信するリモコンと、
前記リモコンから送信された命令コマンドを受信するコマンド受信手段と、
前記コマンド受信手段によって受信された前記命令コマンドに対応する前記制御コマンドを前記外部再生機器に送信するコマンド送信手段と、
装置各部を制御する制御手段とを備える映像表示機器において、
前記コマンド受信手段によって受信された命令コマンドの送信先を判定する判定手段をさらに備え、
前記制御手段は、前記判定手段によって、前記命令コマンドの送信先が前記外部再生機器であると判定された場合に、前記コマンド送信手段を用いて、前記外部再生機器に、該命令コマンドに対応する前記制御コマンドを送信することを特徴とする映像表示機器。
【請求項２】
前記送受信手段は、前記外部再生機器から、該外部再生機器が映像出力可能なアクティブ状態であることを示す制御コマンドを受信し、
前記判定手段は、前記送受信手段によって前記映像出力可能なアクティブ状態であることを示す制御コマンドが受信されたとき、前記コマンド受信手段によって受信された命令コマンドの送信先が前記外部再生機器であると判定することを特徴とする請求項１に記載の映像表示機器。
【請求項３】
前記制御プロトコルは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）であることを特徴とする請求項１又は請求項２に記載の映像表示機器。
【請求項４】
前記外部再生機器が映像出力可能なアクティブ状態であることを示す制御コマンドは、ＨＤＭＩ規格で定義された＜Ａｃｔｉｖｅ  Ｓｏｕｒｃｅ＞であることを特徴とする請求項３に記載の映像表示機器。
【発明の詳細な説明】
【技術分野】
【０００１】
本発明は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に対応した外部機器を接続可能な映像表示機器に関する。
【背景技術】
【０００２】
近年、ＨＤＭＩ規格に対応したＤＶＤプレーヤ等の外部機器（以下、プレーヤ機器という）を接続可能なＴＶ受像機が普及している。プレーヤ機器とＴＶ受像機とは、ＨＤＭＩケ−ブルを介して接続され、互いに制御信号（以下、ＣＥＣコマンドという）によって、ＴＶ受像機がプレーヤ機器の動作を制御したり、プレーヤ機器がＴＶ受像機の動作を制御したりする。
【０００３】
具体的には例えば、ＨＤＭＩ規格における「Ｒｅｍｏｔｅ  Ｃｏｎｔｒｏｌ  Ｐａｓｓ  Ｔｈｒｏｕｇｈ」機能を用いて、ユーザによるＴＶ受像機用リモコンの操作により、ＴＶ受像機がプレーヤ機器を制御することができる。すなわち、ＴＶ受像機用リモコンから送信された操作信号をＴＶ受像機が受信した後、ＴＶ受像機は、この操作信号に対応するＣＥＣコマンドを、ＨＤＭＩケーブルを介してプレーヤ機器に送信することにより、プレーヤ機器を制御する。
【０００４】
ところで近年、上記従来のＴＶ受像機において、光ディスクドライブを内蔵したＴＶ受像機（以下、内蔵型ＴＶ受像機という）が普及している。この種の内蔵型ＴＶ受像機は、自装置内の光ディスクドライブで再生したコンテンツを表示することができ、また、従来のＴＶ受像機と同様に、ＨＤＭＩケーブルを介してプレーヤ機器から供給されたコンテンツを表示することもできる。また、この内蔵型ＴＶ受像機は、ＣＥＣコマンドにより、ＨＤＭＩケ−ブルを介して接続されたプレーヤ機器の動作を制御することもできる。すなわち、ユーザが内蔵型ＴＶ受像機用リモコンを操作することにより、プレーヤ機器を制御することができる。
【０００５】
ところで、上記内蔵型ＴＶ受像機の光ディスクドライブに装着済みの光ディスクを再生する場合、ユーザが内蔵型ＴＶ受像機用リモコンの再生ボタンを操作すると、内蔵型ＴＶ受像機に再生コマンドが送信されると共に、上述した「Ｒｅｍｏｔｅ  Ｃｏｎｔｒｏｌ  Ｐａｓｓ  Ｔｈｒｏｕｇｈ」機能により、プレーヤ機器にも再生コマンドを送信される。これにより、内蔵型ＴＶ受像機及びプレーヤ機器の両方の光ディスクが再生されることがあり、意図しない機器の光ディスクが再生されてしまい、ユーザが混乱するという問題がある。
【０００６】
これに対して、「Ｒｅｍｏｔｅ  Ｃｏｎｔｒｏｌ  Ｐａｓｓ  Ｔｈｒｏｕｇｈ」機能をオフにした状態で内蔵型ＴＶ受像機用リモコンを操作することにより、内蔵型ＴＶ受像機の光ディスクのみを再生する方法がある。しかしながら、この方法では、プレーヤ機器を操作する際に、ユーザは「Ｒｅｍｏｔｅ  Ｃｏｎｔｒｏｌ  Ｐａｓｓ  Ｔｈｒｏｕｇｈ」機能をオンにした後に、内蔵型ＴＶ受像機用リモコンを操作しなければならず、操作が煩雑である。
【０００７】
また、内蔵型ＴＶ受像機のメニュー画面において、内蔵型ＴＶ受像機用リモコンの操作対象機器として内蔵型ＴＶ受像機又はプレーヤ機器を設定した後、内蔵型ＴＶ受像機用リモコンを操作することにより、ユーザが所望の機器を操作する方法がある。しかしながら、この方法であってもユーザの操作が煩雑である。
【０００８】
また、「Ｒｅｍｏｔｅ  Ｃｏｎｔｒｏｌ  Ｐａｓｓ  Ｔｈｒｏｕｇｈ」機能をオフにした状態で、内蔵型ＴＶ受像機用リモコンとプレーヤ機器用リモコンとをそれぞれ持ち替えて使い分けることにより、ユーザが所望の機器を操作する方法が知られている。しかしながら、この方法であっても、ユーザは操作したい機器ごとにリモコンを持ち替える必要があり、操作が煩雑である。
【０００９】
また、特許文献１には、他装置からＣＥＣバスを介して受信したＣＥＣコマンドが自装置宛のコマンドであるか否かを判定する判定部と、判定部によってＣＥＣコマンドが自装置宛のコマンドと判定された場合にはＣＥＣバスを介して受信したコマンドを実行し、他装置宛のコマンドと判定された場合には受信したコマンドを実行しないリモートコントロールシステムが開示されている。しかしながら、このシステムは、他装置宛のコマンドを転送するものではないため、他装置を操作する際において、ユーザはリモコンを持ち替えて操作する必要があるため、上記問題を解決できない。
【００１０】
また、特許文献２には、操作コードを受信すると、対象となるソース機器が操作コードパススルー制御に対応しているか非対応かを判断し、非対応と判断すると、該ソース機器に対して操作コードを転送するためのコマンドの送信を停止する機器制御装置が開示されている。しかしながら、この機器制御装置であっても、上記問題を解決できない。
【００１１】
ところで、特許文献３には、再生対象として装着されたディスクがＤＶＤであるかＣＤであるかをローダ部が判別し、この結果に応じた判別信号を出力するテレビジョン装置が開示されているが、このテレビジョン装置であっても上記問題を解決できない。
【先行技術文献】
【特許文献】
【００１２】
【特許文献１】特開２００８−２１９６７２号公報
【特許文献２】特開２００９−２７８３１０号公報
【特許文献２】特開２００２−１３５７２７号公報
【発明の概要】
【発明が解決しようとする課題】
【００１３】
本発明は、上述した問題点を解決するためになされたものであり、外部再生装置と接続される際に、ユーザが映像表示装置のリモコンのみを操作する場合であっても、自装置と外部再生装置の両方の操作を容易に行うことができるようにして、ユーザによる操作の手間を低減できる映像表示機器を提供することを目的とする。
【課題を解決するための手段】
【００１４】
上記目的を達成するために請求項１の発明は、コンテンツを再生し、再生したコンテンツの映像を出力する外部再生機器と接続され、前記外部再生機器との間で、前記コンテンツデータの受信と、制御プロトコルに基づく制御コマンドの送受信とを行うための送受信手段と、ユーザによる操作に応じた命令コマンドを送信するリモコンと、前記リモコンから送信された命令コマンドを受信するコマンド受信手段と、前記コマンド受信手段によって受信された前記命令コマンドに対応する前記制御コマンドを前記外部再生機器に送信するコマンド送信手段と、装置各部を制御する制御手段とを備える映像表示機器において、前記コマンド受信手段によって受信された命令コマンドの送信先を判定する判定手段をさらに備え、前記制御手段は、前記判定手段によって、前記命令コマンドの送信先が前記外部再生機器であると判定された場合に、前記コマンド送信手段を用いて、前記外部再生機器に、該命令コマンドに対応する前記制御コマンドを送信するものである。
【００１５】
また、請求項２の発明は、請求項１に記載の映像表示機器において、前記送受信手段は、前記外部再生機器から、該外部再生機器が映像出力可能なアクティブ状態であることを示す制御コマンドを受信し、前記判定手段は、前記送受信手段によって前記映像出力可能なアクティブ状態であることを示す制御コマンドが受信されたとき、前記コマンド受信手段によって受信された命令コマンドの送信先が前記外部再生機器であると判定するものである。
【００１６】
また、請求項３の発明は、請求項１又は請求項２に記載の映像表示機器において、前記制御プロトコルは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）である。
【００１７】
また、請求項４の発明は、請求項３に記載の映像表示機器において、前記外部再生機器が映像出力可能なアクティブ状態であることを示す制御コマンドは、ＨＤＭＩ規格で定義された＜Ａｃｔｉｖｅ  Ｓｏｕｒｃｅ＞である。
【発明の効果】
【００１８】
本発明によれば、命令コマンドの送信先が外部再生機器であると判定された場合に、外部再生機器に、命令コマンドに対応する制御コマンドを送信する。そのため、ユーザが映像表示装置のリモコンを操作する場合に、従来のように自装置及び外部再生機器の両方を操作してしまうことが無くなるので、ユーザの混乱を防いで、ユーザが自装置と外部再生装置の両方の操作を容易に行うことができる。これにより、ユーザによる操作の手間を低減できる。
【図面の簡単な説明】
【００１９】
【図１】本発明の一実施形態に係るＴＶ受像機と、このＴＶ受像機に接続されたＢＤプレーヤとを含むホームネットワークシステムの概略構成図。
【図２】上記ＴＶ受像機の内部構成を示すブロック図。
【図３】上記ＢＤプレーヤとの内部構成を示すブロック図。
【図４】上記ＴＶ受像機におけるリモコン操作処理の手順を示すフローチャート。
【発明を実施するための形態】
【００２０】
以下、本発明の一実施形態に係るテレビジョン受像機（請求項における映像表示機器）について、図１乃至図３を参照して説明する。図１は、テレビジョン（以下、ＴＶという）受像機２と、このＴＶ受像機２にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル５を介して接続されたブルーレイディスク（以下、ＢＤという）プレーヤ（外部再生機器）４とを含むホームネットワークシステム１００の概略構成を示す。図２は、ＴＶ受像機２の内部構成を示し、図３は、ＢＤプレーヤ４の内部構成を示す。
【００２１】
ＴＶ受像機２、及びＢＤプレーヤ４は、いずれもＨＤＭＩに対応した機器であり、ＨＤＭＩ−ＣＥＣ（Ｃｏｎｓｕｍｅｒ  Ｅｌｅｃｔｒｏｎｉｃｓ  Ｃｏｎｔｒｏｌ）に基づくＣＥＣコマンドと、ＣＥＣコマンドに対するレスポンスデータとを送受信可能である。
【００２２】
ＨＤＭＩケーブル５は、映像信号及び音声信号等の伝送ラインであるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）ラインと、ＣＥＣコマンドを双方向に伝送するための伝送ラインであるＣＥＣラインとを含むものである。ＨＤＭＩ−ＣＥＣでは、ＨＤＭＩケーブル５で接続された相手先（ＣＥＣ対応機器）を指定して送信するＣＥＣコマンドと、ＨＤＭＩケーブル５で接続されたすべてのＣＥＣ対応機器にＣＥＣコマンドを通知するブロードキャストコマンドとが定義されており、これらを組み合わせて通信を行う。
【００２３】
ＴＶ受像機２は、ＣＥＣコマンドの＜Ｒｅｑｕｅｓｔ  Ａｃｔｉｖｅ  Ｓｏｕｒｃｅ＞や＜Ｓｅｔ  Ｓｔｒｅａｍ  ｐａｔｈ＞等を送信可能である。＜Ｒｅｑｕｅｓｔ  Ａｃｔｉｖｅ  Ｓｏｕｒｃｅ＞は、ＨＤＭＩケーブル５で接続された機器の中で、アクティブ機器（映像信号を出力可能な状態の機器、すなわちアクティブな状態の機器）を問い合わせるコマンドである。＜Ｓｅｔ  Ｓｔｒｅａｍ  ｐａｔｈ＞は、ＨＤＭＩケーブル５で接続されたＣＥＣ対応機器に対して、操作対象機器を指示するためのコマンドである。
【００２４】
ＢＤプレーヤ４は、ＣＥＣコマンドの＜Ａｃｔｉｖｅ  Ｓｏｕｒｃｅ＞等を送信可能である。＜Ａｃｔｉｖｅ  Ｓｏｕｒｃｅ＞は、アクティブ機器であることを通知するコマンドである。＜Ａｃｔｉｖｅ  Ｓｏｕｒｃｅ＞には、送信元の機器の物理アドレスがパラメータとして含まれる。
【００２５】
ＴＶ受像機２は、ＢＤディスクｄ１を内部に装着可能であり、装着したＢＤディスクｄ１を再生して、このＢＤディスクｄ１のコンテンツデータの映像や音声を出力することができる。ＢＤプレーヤ４は、ＢＤディスクｄ２を内部に装着可能であり、装着したＢＤディスクｄ２を再生して、このＢＤディスクｄ２のコンテンツデータを、ＨＤＭＩケーブル５を介してＴＶ受像機２に供給する。
【００２６】
リモコン６は、再生ボタン（図示せず）や早送りボタン（図示せず）を含む複数のボタンを有し、ユーザによる操作に応じた命令コマンドを示す赤外線信号をＴＶ受像機２に送信する。
【００２７】
ＴＶ受像機２は、図２に示すように、アンテナ２１に接続され、デジタル放送信号を受信するチューナ部２２と、デコーダ部２３と、映像を表示するディスプレイ２４と、音声を出力するスピーカ２５と、ＢＤローダ２６と、メモリ２７と、リモコン６から送信される赤外線信号を受信するリモコン信号受信部（コマンド受信手段）２８とを備える。また、ＴＶ受像機２は、ユーザによって操作される複数のボタンを有するキーパッド２９と、外部インタフェース（送受信手段、コマンド送信手段）３０と、装置各部を制御するためのメインＩＣ（制御手段、判定手段）２０とをさらに備える。
【００２８】
チューナ部２２は、アンテナ２１を介して、放送局から配信される各チャンネルのデジタル放送信号を受信する。デジタル放送信号には、ＴＶ番組の映像信号及び音声信号と、配信されるＴＶ番組の放送開始時間や放送終了時間、ジャンル、番組タイトル、及び出演者等の番組情報とが含まれている。
【００２９】
デコーダ部２３は、チューナ部２２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００３０】
映像デコード回路は、映像信号を含むＴＳパケットに対して復号化処理を行い、映像信号を抽出し、抽出した映像信号をメインＩＣ２０に出力する。音声デコード回路は、音声信号を含むＴＳパケットに対して復号化処理を行い、音声信号を抽出し、抽出した音声信号をメインＩＣ２０に出力する。
【００３１】
データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータをメインＩＣ２０に出力する。ＳＩデータは、ＴＶ番組の番組情報が格納されたＥＩＴ（Ｅｖｅｎｔ  Ｉｎｆｏｒｍａｔｉｏｎ  Ｔａｂｌｅ）等を有している。
【００３２】
ディスプレイ２４は、チューナ部２２によって受信されたＴＶ番組の映像や、ＢＤローダ２６によって読み出されたＢＤディスクｄ１のコンテンツデータの映像や、ＢＤプレーヤ４から供給されたコンテンツデータの映像を表示する。
【００３３】
スピーカ２５は、チューナ部２２によって受信されたＴＶ番組の音声や、ＢＤローダ２６によって読み出されたＢＤディスクｄ１のコンテンツデータの音声や、ＢＤプレーヤ４から供給されたコンテンツデータの音声を出力する。
【００３４】
ＢＤローダ２６は、ＢＤディスクｄ１に対してデータの読み出しを行う光ピックアップ（図示せず）と、ＢＤディスクｄ１を装置内部に搬送及び排出するための搬送ローラ（図示せず）と、この搬送ローラを駆動する搬送ローラ駆動部（図示せず）とを有する。ＢＤローダ２６は、コンテンツデータが格納されたＢＤディスクｄ１が内部に装着されると、光ピックアップを用いてＢＤディスクｄ１からコンテンツデータを読み出し、読み出したコンテンツデータをメインＩＣ２０に出力する処理を行う。ＢＤローダ２６とメインＩＣ２０とはＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を用いた通信を行う。
【００３５】
メモリ２７は、メインＩＣ２０を制御するプログラムや、ＨＤＭＩケーブル５を介して接続しているＨＤＭＩ機器の論理アドレスや物理アドレスの情報を記憶する。例えば、メモリ２７は、受信した＜Ａｃｔｉｖｅ  Ｓｏｕｒｃｅ＞に示された物理アドレス等を記憶する。
【００３６】
リモコン信号受信部２８は、リモコン６から受信した赤外線信号を電気信号に変換してメインＩＣ２０に転送する。
【００３７】
外部インタフェース３０は、ＨＤＭＩに対応した外部機器を接続するための第１ＨＤＭＩ端子３０ａ〜第３ＨＤＭＩ端子３０ｃを有し、外部機器から受信したＣＥＣコマンドやデータをメインＩＣ２０に転送する。また、外部インタフェース３０は、ビデオ入力端子（図示せず）や、ＩＥＥＥ１３９４用端子（図示せず）や、ＵＳＢ端子（図示せず）をさらに有する。
【００３８】
第３ＨＤＭＩ端子３０ｃには、ＢＤプレーヤ４と接続されたＨＤＭＩケーブル５の一端が接続されている。第１ＨＤＭＩ端子３０ａ〜第３ＨＤＭＩ端子３０ｃのそれぞれには物理アドレスが割り当てられている。例えば、第１ＨＤＭＩ端子３０ａの物理アドレスは「１．０．０．０」であり、第２ＨＤＭＩ端子３０ｂの物理アドレスは「２．０．０．０」であり、第３ＨＤＭＩ端子３０ｃの物理アドレスは「３．０．０．０」である。
【００３９】
メインＩＣ２０は、ディスプレイ２４に映像信号を出力する映像出力処理、スピーカ２５に音声信号を出力する音声出力処理、ＣＥＣコマンドによる通信を行う通信制御処理、ＢＤローダ２６から読み出されたコンテンツデータを再生する再生制御処理、選局切替処理、及びＣＥＣコマンドの送信先を判定するコマンド送信先判定処理等を行う。
【００４０】
メインＩＣ２０による通信制御処理は、ＢＤプレーヤ４に対して、ＨＤＭＩ−ＣＥＣに基づくＣＥＣコマンド及びレスポンスデータの送受信や、ＢＤプレーヤ４から送信された映像信号及び音声信号の受信を行うものである。また、メインＩＣ２０による通信制御処理は、ＣＥＣ機能の「Ｒｅｍｏｔｅ  Ｃｏｔｒｏｌ  Ｐａｓｓ  Ｔｈｒｏｕｇｈ」により、リモコン６から受信した命令コマンドに対応するＣＥＣコマンドをＢＤプレーヤ４に送信（転送）する処理も含む。
【００４１】
メインＩＣ２０による選局切替処理は、チューナ部２２、ＢＤローダ２６、又は外部インタフェース３０の入力切替を行い、ユーザによって指定された映像及び音声を入力するように選局する処理である。メインＩＣ２０によるコマンド送信先判定処理は、リモコン信号受信部２８によって受信された命令コマンドの送信先を判定する処理である。
【００４２】
ＢＤプレーヤ４は、図３に示すように、ＨＤＭＩ端子４１と、複数の操作ボタン（図示せず）を有する操作部４２と、ＢＤローダ４３と、メインＩＣ４０とを備える。
【００４３】
ＨＤＭＩ端子４１には、ＴＶ受像機２の第３ＨＤＭＩ端子３０ｃと接続されたＨＤＭＩケーブル５の他端が接続される。ＨＤＭＩ端子４１は、ＴＶ受像機２から受信したＣＥＣコマンドやデータをメインＩＣ４０に転送する。また、ＨＤＭＩ端子４１は、ＣＥＣコマンドやコンテンツデータをＴＶ受像機２に送信する。
【００４４】
ＢＤローダ４３は、コンテンツデータが格納されたＢＤディスクｄ２が内部に装着され、ＢＤディスクｄ２からコンテンツデータを読み出して、コンテンツデータをメインＩＣ４０に出力する処理を行う。
【００４５】
メインＩＣ４０は、コンテンツデータの再生を行う再生制御処理と、ＣＥＣコマンドによる通信を行う通信制御処理等を行う。また、メインＩＣ４０は、ユーザによる操作部４２の操作に応じてＢＤプレーヤ４の装置各部を制御する。
【００４６】
メインＩＣ４０による再生制御処理は、ＢＤローダ４３から読み出されたコンテンツデータの再生を行い、再生されたコンテンツデータの映像信号及び音声信号を、ＨＤＭＩケーブル５を介してＴＶ受像機２に出力するものである。
【００４７】
メインＩＣ４０による通信制御処理は、ＴＶ受像機２に対して、ＨＤＭＩ−ＣＥＣ規格に基づくＣＥＣコマンド及びレスポンスデータの送受信や、コンテンツの映像信号及び音声信号の送信を行うものである。ＢＤプレーヤ４によって送信されるＣＥＣコマンドには、＜Ａｃｔｉｖｅ  Ｓｏｕｒｃｅ＞等がある。
【００４８】
次に、ＴＶ受像機２におけるリモコン６による操作処理の手順について、図４に示すフローチャートを参照して説明する。ここでは、ユーザによってリモコン６の再生ボタンが操作された場合について説明する。
【００４９】
まず、ユーザがリモコン６の再生ボタンを操作すると、ＴＶ受像機２は、リモコン６から再生コマンドを受信し（Ｓ１）、ＴＶ受像機のメインＩＣ２０は、ＢＤローダ２６を選局中であるか否かを判断する（Ｓ２）。すなわち、ＴＶ受像機２は、ＢＤローダ２６が操作対象になっているか否かを判断する。
【００５０】
そして、ＴＶ受像機２のＢＤローダ２６を選局中である場合（Ｓ３でＹＥＳ）、ＴＶ受像機２のメインＩＣ２０は、リモコン６から受信した再生コマンドの送信先をＢＤローダ２６と判定して、ＢＤローダ２６に再生コマンドを送信し、ＢＤローダ２６に装着されているＢＤディスクｄ１を再生する（Ｓ４）。
【００５１】
一方、上記Ｓ２の判断の結果、ＢＤローダ２６を選局中でない場合（Ｓ３でＮＯ）、ＴＶ受像機２のメインＩＣ２０は、ＢＤプレーヤ４から＜Ａｃｔｉｖｅ  Ｓｏｕｒｃｅ＞を受信したか否かを判断する（Ｓ５）。具体的には、メモリ２７に既にＢＤプレーヤ４から受信した＜Ａｃｔｉｖｅ  Ｓｏｕｒｃｅ＞の情報が記憶されているか否かを判断する。
【００５２】
上記Ｓ５の判断の結果、ＢＤプレーヤ４から＜Ａｃｔｉｖｅ  Ｓｏｕｒｃｅ＞を既に受信している場合（Ｓ６でＹＥＳ）、ＴＶ受像機２のメインＩＣ２０は、リモコン６から受信した再生コマンドの送信先をＢＤプレーヤ４と判定し、リモコン６から送信された再生コマンドに対応するＣＥＣコマンド（＜ＵｓｅｒＣｏｎｔｒｏｌ  Ｐｒｅｓｓｅｄ＞［ＰＬＡＹ］）をＢＤプレーヤ４に送信する（Ｓ１１）。
【００５３】
一方、ＢＤプレーヤ４から＜Ａｃｔｉｖｅ  Ｓｏｕｒｃｅ＞を受信していない場合（Ｓ６でＮＯ）、ＴＶ受像機２のメインＩＣ２０は、＜Ｒｅｑｕｅｓｔ  Ａｃｔｉｖｅ  Ｓｏｕｒｃｅ＞を送信して、ＨＤＭＩケーブル５で接続された機器に対して＜Ａｃｔｉｖｅ  Ｓｏｕｒｃｅ＞をリクエストする（Ｓ７）。
【００５４】
そして、ＴＶ受像機２のメインＩＣ２０は、＜Ａｃｔｉｖｅ  Ｓｏｕｒｃｅ＞を受信すると（Ｓ８）、受信した＜Ａｃｔｉｖｅ  Ｓｏｕｒｃｅ＞の物理アドレスと、ＢＤプレーヤの物理アドレスが一致するか否かを判断する（Ｓ９）。そして、これらの物理アドレスが一致する場合（Ｓ１０でＹＥＳ）、ＴＶ受像機２のメインＩＣ２０は、リモコン６から受信した再生コマンドの送信先をＢＤプレーヤ４と判定して、ＢＤプレーヤ４に、リモコン６から送信された再生コマンドに対応するＣＥＣコマンド（＜ＵｓｅｒＣｏｎｔｒｏｌ  Ｐｒｅｓｓｅｄ＞［ＰＬＡＹ］）を送信する（Ｓ１１）。
【００５５】
一方、上記Ｓ９の判断の結果、物理アドレスが一致しない場合（Ｓ１０でＮＯ）、ＴＶ受像機２のメインＩＣ２０は、リモコン６から受信した再生コマンドの送信先をＴＶ受像機２のＢＤローダ２６と判定して、ＢＤローダ２６に再生コマンドを送信して、ＢＤローダ２６に装着されているＢＤディスクｄ１を再生する（Ｓ４）。なお、本処理では、ユーザによってリモコン６の再生ボタンが操作される例を示したが、これに限られず、早送りボタン、巻戻しボタン、停止ボタン、録画ボタン、一時停止ボタン、及びディスク取出ボタン等のＢＤプレーヤ４を操作可能なボタンであればよい。また、上記Ｓ７の処理において、ＴＶ受像機２は、ＨＤＭＩケーブル５で接続された機器に対して、＜Ａｃｔｉｖｅ  Ｓｏｕｒｃｅ＞を問い合わせたが、＜Ｓｅｔ  Ｓｔｒｅａｍ  Ｐａｔｈ＞を問い合わせてもよい。また、上記Ｓ２乃至Ｓ４において、ＴＶ受像機２がＢＤローダ２６を選局している場合に、ＢＤローダ２６に再生コマンドを送信したが、ＴＶ受像機２がチューナ部２２を選局している場合にも、ＢＤローダ２６に再生コマンドを送信してもよい。すなわち、外部インタフェース３０を選局していない場合に、ＢＤローダ２６に再生コマンドを送信してもよい。
【００５６】
上述したように、本実施形態に係るＴＶ受像機２においては、ＴＶ受像機２は、リモコン６から送信された命令コマンドの送信先がＢＤプレーヤ４であると判定された場合に、ＢＤプレーヤ４に、命令コマンドに対応するＣＥＣコマンドを送信する。そのため、ユーザがＴＶ受像機２のリモコン６を操作する場合に、ＴＶ受像機２及びＢＤプレーヤ４の両方を操作してしまうことが無くなるので、ユーザの混乱を防いで、ユーザがＴＶ受像機２とＢＤプレーヤ４の両方の操作を容易に行うことができる。これにより、ユーザによる操作の手間を低減できる。
【００５７】
また、ＴＶ受像機２とＢＤプレーヤ４とは、ＨＤＭＩ−ＣＥＣに従ったＣＥＣコマンドの送受信を行うので、独自プロトコルに対応した専用機器や専用ソフトウェア等の導入コストをかける必要がない。従って、ＴＶ受像機２の製造コストを抑制することができる。
【００５８】
なお、本発明は、上記実施形態の構成に限られず、発明の趣旨を変更しない範囲で種々の変形が可能である。例えば、上記実施形態において、請求項に示す外部再生機器がＢＤプレーヤである例を示したが、ＣＥＣコマンドを送受信可能であり、光ディスクを装着して再生可能なＡＶ機器であればよい。
【符号の説明】
【００５９】
２  ＴＶ受像機（映像表示機器）
４  ＢＤプレーヤ（外部再生機器）]
６  リモコン
２０  メインＩＣ（制御手段、判定手段）
２８  リモコン信号受信部（コマンド受信手段）
３０  外部インタフェース（送受信手段、コマンド送信手段）
３０ａ〜３０ｃ  第１ＨＤＭＩ端子〜第３ＨＤＭＩ端子（送受信手段、コマンド送信手段）
【図１】
2012124866.tif 000003
【図２】
2012124866.tif 000004
【図３】
2012124866.tif 000005
【図４】
2012124866.tif 000006